(57)【要約】【課題】定着ベルトを用いた定着装置において、定着ベルト内周面を押圧する押圧部材を被覆する摺動シートが、定着ベルトと擦れることによって破れた場合であってもその影響を抑え、安定して定着処理する。【解決手段】摺動シート８６０と押圧部材８６１との間に、該押圧部材８６１への潤滑剤の浸透を防止する遮蔽シート８６５を設ける。【選択図】図４
2010066554.tif 000002
【特許請求の範囲】
【請求項１】
加熱部と、該加熱部と互いに圧接して定着ニップ部を形成する加圧部と、を備える定着装置であって、前記加熱部又は前記加圧部の少なくとも一方が、
無端状の定着ベルトと、
該定着ベルトを内周面側から前記定着ニップ部側に圧接させる押圧部材と、
該押圧部材を被覆し、表面が凸部で裏面が凹部となるような複数の突起部が設けられており、その表面を前記定着ベルトの内周面と摺動する摺動シートと、
前記定着ベルトの内周面に潤滑剤を供給する潤滑剤供給部材と、
前記摺動シートと前記押圧部材との間に、該押圧部材への潤滑剤の浸透を防止する遮蔽シートと、
を有することを特徴とする定着装置。
【請求項２】
前記摺動シートと前記遮蔽シートとが固着面で固着されていることを特徴とする請求項１に記載の定着装置。
【請求項３】
前記固着面は、前記摺動シートの前記突起部を除いた平面部であることを特徴とする請求項２に記載の定着装置。
【請求項４】
用紙にトナー画像を形成する画像形成部と、
前記画像形成部で形成したトナー画像を用紙に加熱加圧定着する請求項１乃至３のいずれかに記載の定着装置と、
を有することを特徴とする画像形成装置。
【発明の詳細な説明】
【技術分野】
【０００１】
トナー画像を加熱加圧して用紙に定着させる定着装置及び該定着装置を備えた画像形成装置に関する。
【背景技術】
【０００２】
従来、複写機、プリンタ、ファクシミリ及びこれらの機能を有する複合機等の電子写真式の画像形成装置に用いられている定着装置としては加熱ローラ方式（熱定着ローラ方式ともいう）のものが低速機から高速機まで、モノクロ機からカラー機に至るまで、幅広く採用されている。加熱ローラ方式の定着装置とは、所定の温度に維持された加熱ローラと、弾性層を有してその加熱ローラに圧接する加圧ローラとによって形成された定着ニップ部により、未定着のトナー像を形成された転写材を挟持搬送しつつ加熱加圧するものである。
【０００３】
近年のカラー化や高速化の要請で、用紙表面上のトナーを効率よく加熱するために、定着のニップ幅を広くすることが求められている。このような場合、前述の加熱ローラ方式の定着装置では、その構成上、ニップ幅を広くするためには、二つのローラ径を拡大する、あるいはローラ間の圧接力を高めてローラのつぶれ（歪み）量を大きくする手段等が考えられる。しかし、このような手段を採用した場合には、定着装置の大型化、耐久性の低下等の問題があり、設計条件の自由度が低い。
【０００４】
このような問題を解決する方法として、ローラによって駆動されて回転する無端状の定着ベルトと、定着ベルトの内周面側に固定された押圧部材と、を備え、押圧部材により定着ベルトを加熱ローラの方向に押圧するベルトニップ方式の定着装置が、近年採用されるようになっている。ベルトニップ方式の定着装置では、その構成上、定着ニップ部の幅は加熱ローラ方式よりも広くすることが可能である。
【０００５】
ベルトニップ方式の定着装置においては、加熱ローラに定着ベルトを固定摺動の押圧部材によって圧接するように構成されているため、定着ベルトの内面と押圧部材との間の摩擦が大きいと、定着ベルトの走行が妨げられ、画像ずれや紙しわ、あるいは駆動トルク増大の原因となる。
【０００６】
このような問題に対して、画像ずれの発生を防止する目的で、定着ベルト内周面との摩擦抵抗を軽減するために押圧部材を被覆するシート状部材である摺動シートを備え、当該摺動シートの表面に大きな凹凸を形成した定着装置が開示されている（例えば特許文献１）。
【０００７】
摺動シートに凹凸を設けることにより、摺動シートと定着ベルトとの接触は、摺動シートに設けられた凸部の先端だけが接触することになり、その結果、接触面積が小さくなるので摩擦抵抗の軽減化を図ることができる。
【特許文献１】特開２００２−１４８９７０号公報
【発明の開示】
【発明が解決しようとする課題】
【０００８】
しかし、特許文献１の凹凸を設けた摺動シートにおいては、定着ベルトの端部との接触は当該凸部の先端に集中してしまうために、長時間の使用により凸部の先端が摩耗し、破断するという問題が生じ易くなった。
【０００９】
摺動シートが破断すると、接触面積が増加することにより摩擦抵抗が増大するとともに、定着ベルトの内面に塗布している潤滑剤が、摺動シートをすり抜けて、押圧部材にまで浸透する。この場合には、潤滑剤が浸透することにより押圧パッドが膨潤変形し、その結果、押圧部材による押圧力の長手方向（用紙搬送方向と直交方向）での分布が所定の分布から変化して、搬送される用紙に皺が発生したり、画像ずれが発生したりすることになる。
【００１０】
本願発明は、上記問題に鑑み、定着ベルトを用いた定着装置において、定着ベルト内周面を押圧する押圧部材を被覆する摺動シートが、定着ベルトと擦れることによって破れた場合であってもその影響を抑え、安定して定着処理することが可能な定着装置を提供することを目的とする。
【課題を解決するための手段】
【００１１】
１．加熱部と、該加熱部と互いに圧接して定着ニップ部を形成する加圧部と、を備える定着装置であって、前記加熱部又は前記加圧部の少なくとも一方が、
無端状の定着ベルトと、
該定着ベルトを内周面側から前記定着ニップ部側に圧接させる押圧部材と、
該押圧部材を被覆し、表面が凸部で裏面が凹部となるような複数の突起部が設けられており、その表面を前記定着ベルトの内周面と摺動する摺動シートと、
前記定着ベルトの内周面に潤滑剤を供給する潤滑剤供給部材と、
前記摺動シートと前記押圧部材との間に、該押圧部材への潤滑剤の浸透を防止する遮蔽シートと、
を有することを特徴とする定着装置。
【００１２】
２．前記摺動シートと前記遮蔽シートとが固着面で固着されていることを特徴とする前記１に記載の定着装置。
【００１３】
３．前記固着面は、前記摺動シートの前記突起部を除いた平面部であることを特徴とする前記２に記載の定着装置。
【００１４】
４．用紙にトナー画像を形成する画像形成部と、
前記画像形成部で形成したトナー画像を用紙に加熱加圧定着する前記１乃至３のいずれかに記載の定着装置と、
を有することを特徴とする画像形成装置。
【発明の効果】
【００１５】
本実施形態によれば、定着ベルトを用いた定着装置において、定着ベルト内周面を押圧する押圧部材を被覆する摺動シートが、定着ベルトと擦れることによって破れた場合であってもその影響を抑え、安定して定着処理することが可能な定着装置を提供することができる。
【発明を実施するための最良の形態】
【００１６】
本発明を実施の形態に基づいて説明するが、本発明は該実施の形態に限られない。
【００１７】
図１は、本実施形態に係る画像形成装置の中央断面図である。画像形成装置Ａは、タンデム型カラー画像形成装置と称せられるもので、画像形成部Ａ１、スキャナ部１、操作表示部２、自動原稿送り装置Ｄを有する。
【００１８】
画像形成部Ａ１は、複数組の画像作成部４Ｙ（イエロー）、４Ｍ（マゼンタ）、４Ｃ（シアン）、４Ｋ（ブラック）と、画像書き込み部３（Ｍ、Ｃ、Ｋについては参照符号を省略）、中間転写ベルト４２と給紙カセット５、給紙搬送部６、排紙部７、定着装置８、両面搬送路９を有する。定着装置８については詳しくは後述する。
【００１９】
画像作成部４（４Ｙ、４Ｍ、４Ｃ、４Ｋ）は現像手段を有しており、それぞれイエロー（Ｙ）、マゼンタ（Ｍ）、シアン（Ｃ）及び黒（Ｋ）の各色の小粒径のトナーとキャリアからなる２成分現像剤を内包する。
【００２０】
画像形成装置Ａの上部には、自動原稿送り装置Ｄが搭載されている。自動原稿送り装置Ｄの原稿台上に載置された原稿は矢印方向に搬送されスキャナ部１の光学系により原稿の片面又は両面の画像が読み取られ、ＣＣＤイメージセンサ１Ａに読み込まれる。
【００２１】
ＣＣＤイメージセンサ１Ａにより光電変換されたアナログ信号は、メモリ制御部において、アナログ処理、Ａ／Ｄ変換、シェーディング補正、画像圧縮処理等を行った後、画像書き込み部３に信号を送る。
【００２２】
画像書き込み部３においては、半導体レーザからの出力光が画像作成部４の感光体ドラム４１（Ｍ、Ｃ、Ｋについては参照符号を省略）に照射され、潜像を形成する。画像作成部４においては、帯電、露光、現像、転写、クリーニング等の処理が行われる。画像作成部４で形成された各色のトナー画像は、回転する中間転写ベルト４２上に一次転写手段により逐次転写されて、合成されたカラー画像が形成される。
【００２３】
中間転写ベルト４２上のトナー画像は二次転写ローラ４３により、給紙カセット５から給紙搬送部６により搬送された用紙Ｓに転写される。トナー画像を担持した用紙Ｓは、定着装置８により加熱圧力定着され、排紙部７から機外に排紙され排紙トレイ１５に載置される。
【００２４】
９は、両面搬送路であり、両面に画像形成する場合には、第１面（表面）に画像形成して定着装置８により定着された用紙Ｓは、両面搬送路９に搬送されスイッチバック路ｓｂにより表裏反転して再び画像作成部４に搬送され、第２面（裏面）に画像形成してから、排紙部７により機外に排紙され排紙トレイ１５に載置される。
【００２５】
［定着装置８］
次に、本実施形態に係るベルトニップ方式の定着装置８の主要構成について説明する。図２は、ベルトニップ方式の定着装置８の中央断面図である。
【００２６】
本実施形態に係る定着装置８では、ハロゲンランプＨにより加熱される加熱ローラ８１（定着ローラともいう）と定着ベルト８２との間に形成された定着ニップ部Ｎで用紙Ｓ上のトナー像を加熱、加圧して用紙に定着する。ここで、加熱部８０１は、加熱ローラ８１及びハロゲンランプＨ等から構成され、加圧部８０２は、定着ベルト８２及び定着ベルトを張架する複数のローラ等から構成される。また定着ニップ部は、当該加熱部と加圧部とが互いに圧接することにより形成される。
【００２７】
加熱ローラ８１は、内部に加熱源としてのハロゲンランプＨを内蔵し、アルミニウムや鉄等から形成された円筒状芯金８１Ａと、円筒状芯金８１Ａを被覆し耐熱性の高いＨＴＶシリコンゴムからなる弾性層８１Ｂと、更に弾性層８１Ｂを被覆しＰＦＡ（パーフルオロアルキルビニルエーテル）若しくはＰＴＦＥ（ポリテトラフルオロエチレン）等のフッ素樹脂からなる離型層８１Ｃと、により構成されている。本実施形態においては、加熱ローラ８１は全体として外径６５ｍｍで形成し、円筒状芯金８１Ａは厚さ７ｍｍのアルミニウム、弾性層８１Ｂは層厚１．５ｍｍのシリコンゴム、離型層８１Ｃは層厚３０μｍのＰＦＡチューブとしている。
【００２８】
定着ベルト８２は、厚さ７０μｍのポリイミド等の耐熱弾性樹脂により形成された基体と、基体の外表面を被覆する２００μｍのシリコンゴム層等の弾性層、更にその弾性層を被覆する３０μｍの厚みのＰＦＡ若しくはＰＴＦＥで形成された離型層とにより構成されていて、無端状に形成されている。
【００２９】
定着ベルト８２は、用紙Ｓの導入部に近いローラ８３、用紙Ｓの出口側の加圧ローラ８４、支持するローラ８５の各外周を巻回して張架し、加熱ローラ８１の外周面に当接する。
【００３０】
加圧ローラ８４としては、例えば外径２３ｍｍ、のステンレス円柱ローラで、軸方向長さ３２０ｍｍ〜３５０ｍｍ、加熱ローラ８１側に荷重６００Ｎで押圧させている。
【００３１】
ローラ８５はステアリングローラとも称されるローラであり軸の片端を揺動させることによりローラ８５の軸を傾けることが可能である。そして定着ベルト８２の一方の端部には、接触式の端部位置を検知する接触プローブ（不図示）が設けられており、接触プローブからの検知信号に基づいてローラ８５の軸の傾き量を制御させることにより、定着ベルト８２の端部が所定の範囲内（揺動幅αともいう）に収まるように走行の安定化制御を行っている。
【００３２】
駆動モータＭ１により加熱ローラ８１を駆動し、駆動モータＭ２により加圧ローラ８４を駆動する。
【００３３】
［押圧部８６］
図３は、押圧部８６周辺の断面図である。図４は、摺動シート８６０周辺の拡大図である。
【００３４】
押圧部８６は、「押圧部材」として機能する押圧パッド８６１、押圧パッド８６１を保持するベース板金８６３、これらを収納するステー８６４、押圧パッド８６１を被覆し定着ベルト８２の内周面と摺動する摺動シート８６０、摺動シート８６０と押圧パッド８６１との間に設けられた遮蔽シート８６５から構成されている。
【００３５】
定着ベルト８２を内部から押圧する押圧部８６は、定着ベルト８２を張架するローラ８３、８４、８５のうち加圧ローラ８４の上流側近傍に配置され、加圧ローラ８４とともに定着ベルト８２を加熱ローラ８１に圧接し、定着ニップ部を形成する。
【００３６】
押圧パッド８６１は、耐熱ゴム、例えば硬度ＪＩＳＡ１０°〜３０°の厚さ３ｍｍのシリコンゴムで加熱ローラ８１の曲面に沿う形状でベース板金８６３上に形成される。ベース板金８６３は、例えばステンレスからなる。ステー８６４を介し押圧部８６は、不図示の圧縮バネにより荷重５００Ｎで加熱ローラ８１側に押圧され、用紙搬送方向で幅２０ｍｍのパッドニップを形成する。
【００３７】
「摺動シート８６０」は例えば厚さ７０μｍのポリイミド等の、耐摩耗性と耐熱性を兼ね備えた樹脂からなり、その表面にエンボス加工により凸部を設けている。エンボス加工することにより形成した突起部ｐを０．５〜１ｍｍ間隔で配置させている。突起部の形状等に関しての詳細は後述する。突起部ｐを設けることにより定着ベルト８２の内周面との接触面積を小さくして、低摩擦化を図っている。またポリイミドを用いることにより強度が強く破れにくくなるという効果がある。摺動シート８６０は押圧パッド８６１を被覆し、ステー８６４に固定される。摺動シートはその形状を筒状に形成して上流側のみで固定してもよいし、筒状にせず、上流側と下流側で固定してもよい。
【００３８】
「遮蔽シート８６５」は、押圧パッド８６１と摺動シート８６０との間に設けられている。遮蔽シート８６５は、例えば厚さ２５μｍのポリイミド等の耐熱性樹脂からなり、防水性、防油性を備えている。
【００３９】
［潤滑剤塗布部材８７］
押圧部８６の定着ベルト８２搬送方向上流側で、定着ベルト８２の内周面側には、潤滑剤塗布部材８７が配置されている。潤滑剤塗布部材８７は、耐熱繊維（例えば、アラミド繊維、ＰＴＦＥ（ポリ四フッ化エチレン）繊維）の不織布にの潤滑剤が含浸され、従動ローラ８２と押圧部８６との間に配置される。潤滑剤としては例えば、粘度３００ＣＳのジメチルシリコンオイル、あるいは粘度４００ＣＳのメチルフェニルシリコンオイル等のシリコンオイルを用いることができる。
【００４０】
このように構成された定着装置８において、ハロゲンランプＨにより加熱され、モータＭ１によって駆動された加熱ローラ８１が図示の時計方向に回転する。また、押圧パッド８６１が圧縮バネ８６３によりベース板金８６３を介して押圧されることにより、押圧パッド８６１は定着ベルト８２を加熱ローラ８１に押圧する。
【００４１】
従って、定着ベルト８２は、モータＭ１の駆動により時計方向に回転する加熱ローラ８１によって図示の反時計方向に回転し、押圧パッド８６１により加熱ローラ８１に押圧されて弾性変形するので、加圧部８０２（定着ベルトユニット）と加熱部８０１の加熱ローラ８１との間に幅広の定着ニップ部Ｎが形成される。搬送された用紙Ｓ上の未定着トナーは定着ニップ部Ｎで加熱、加圧されて定着される。
【００４２】
出口側のローラ８４は、モータＭ２の駆動によって回転して定着ベルト８２を回動させる。ローラ８３、８５は定着ベルト８２の回転により従動回転する。
【００４３】
ここで、定着装置８の各部材の用紙搬送方向と直行する長手方向（以下単に長手方向又は回転軸方向という）の位置関係について図５に基づいて説明する。
【００４４】
図５は、定着装置８の長手方向の位置関係を示す図である。同図に示すように、押圧パッド８６１よりも外側に定着ベルト８２及び加熱ローラ８１が位置している。そして定着ベルト８２よりも更に外側に摺動シート８６０の両端部が位置している。このようにすることにより定着ベルト８２の内面面に塗布された潤滑剤が摺動シート８６０及び遮蔽シート８６５の外側を回り込んで、押圧パッド８６１に付着することを防ぐことができる。また摺動シート８６０と遮蔽シート８６５とは同一の長さとしている。
【００４５】
［エンボス加工］
図６は、エンボス加工が施された摺動シート８６０の一例を示す図である。図６（ａ）は摺動シート８６０の上面図である。同図の矢印は、定着ベルト８２の搬送方向を示している。
【００４６】
図６（ｂ）は、図６（ａ）の拡大図であり、図６（ｃ）は図６（ｂ）のＡ−Ａ断面図である。
【００４７】
同図に示すように摺動シート８６０はエンボス加工が施され、当該エンボス加工により表面が凸部で裏面が凹部となるような複数の突起部ｐがそれぞれ間隔ａ、ｂの等間隔で格子状に配置されている。また当該格子は定着ベルト８２の搬送方向に対して約４５度の角度で傾斜させている。
【００４８】
同図に示す例において突起部ｐは、平面部から４５度の傾斜を持った４辺四角錐の形状をしており、頂点角は９０度（８０度〜１００度が好ましい）である。また突起部ｐの平面部からの高さは０．２ｍｍである。
【００４９】
［摩耗による穴］
図７は、摺動シート８６０での摩耗による穴空き現象について説明する説明図である。同図に基づいて、遮蔽シート８６５の効果について説明する。
【００５０】
図４に示したように摺動シート８６０の突起部ｐの先端は、定着ベルト８２と摺動している。用紙へのトナーの定着性を確保するためには、押圧部８６による荷重は大きくする必要がある。この場合、長期的な使用により突起部ｐの先端は定着ベルト８２の内周面との摺動により摩耗して、やがて先端に穴が開く。図７はは突起部ｐの先端に穴が開いた状態の摺動シート８６０の例である。図７（ａ）は断面図、図７（ｂ）は上面図である。
【００５１】
同図に示すように突起部ｐの先端に穴（ｈ）が開くことにより、以下の問題が生じていた。
（１）突起部ｐの穴から定着ベルト８２の内周面に塗布している潤滑剤が摺動シート８６０の裏面側（下方）に浸透する。そして浸透した潤滑剤が、押圧パッド８６１を膨潤変形させていた。
（２）潤滑剤が突起部ｐから摺動シート８６０の裏面側に浸透するため、定着ベルト８２の内周面では、潤滑剤が減ってしまう。
【００５２】
上記（１）では、膨潤変形により押圧部材による押圧力の長手方向（用紙搬送方向と直交方向）での分布が所定の分布から変化して、搬送される用紙に皺が発生したり、画像ずれが発生したりする。上記（２）では、摩擦が増加することによる駆動トルク上昇が問題となる。
【００５３】
本実施形態では上記（１）に対する問題を防ぐことが可能となり、後述の第２の実施形態では更に上記（２）に対する問題を防ぐことが可能となる。
【００５４】
本実施形態においては、同図に示すように遮蔽シート８６５を、摺動シート８２０と押圧パッド８６１との間に遮蔽シート８６５設けている。当該遮蔽シート８６５が防油壁として機能することにより、定着ベルト８２の内周面に塗布した潤滑剤が、摺動シート８６０の先端部ｐに生じた穴を経由して、押圧パッド８６１へ浸透することを防止でき、ひいては、摺動シートが破れた場合であってもその影響を抑え、安定して定着処理することが可能となる。
【００５５】
［第２の実施形態］
図８は、第２の実施形態に係る摺動シート８６０周辺を示す図である。図８（ａ）は断面図、図８（ｂ）は上面図である。第２の実施形態においては、摺動シート８６０と遮蔽シート８６５とが接着剤等により固着面ａｄで固着されている。なお同図に示す構成以外は図１乃至図７に示す実施形態と同様であり説明は省略する。
【００５６】
固着面ａｄは、摺動シート８６０の突起部ｐを除いた平面部であり、突起部ｐ周辺を覆うように摺動シート８６０と遮蔽シート８６５とを固着している。このことにより図８（ａ）に示すように突起部ｐに生じた穴ｈから潤滑剤ｌｕが進入しても、突起部ｐの周囲は固着面ａｄにより封止されているので、突起部ｐに溜まった潤滑剤ｌｕは、当該突起部ｐに留まり、遮蔽シート８６５と摺動シート８６０の境界部全面に広がることはない。また突起部ｐの内部の容積は小さいために、内部に溜まる潤滑剤ｌｕの量は僅かである。
【００５７】
本実施形態では、摺動シート８６０と遮蔽シート８６５とが固着面ａｄで固着されていることにより、摺動シート８６０の突起部ｐに生じた穴から流出する潤滑剤の量を低減でき、ひいては、潤滑剤量減少による摩擦増加を防止することが可能となる。また突起部ｐに溜まった潤滑剤は、定着ベルト８２と摺動シート８６０の接触面の周辺に留まるので摩擦低減に寄与させることができる。
【００５８】
［定着装置８の変形例］
図１乃至図８においては、加圧部８０２側にのみ定着ベルト８２を備えた定着装置の例について説明したが、これに限られず、以下に示すように加熱部８０１側あるいは、加熱部８０１及び加圧部８０２の双方に定着ベルト８２と当該定着ベルト８２の内周面側に押圧部８６を備えた定着装置であってもよい。
【００５９】
図９は、定着装置８の変形例を示す図である。なお、同図において図１乃至図８と同じ機能を有する部分に関しては同符号を付すことにより説明に代える。
【００６０】
図９（ａ）は、加熱部８０１ａの外周を、加圧部８０２ａの定着ベルト８２の内周面に設けられた押圧部８６のみで、定着ニップ部を形成する定着装置８の例である。
【００６１】
図９（ｂ）は、加熱部８０１ｂ、加圧部８０２ｂそれぞれに定着ベルト８２を用いて、各々の内周面に設けた押圧部８６により、定着ニップ部を形成する定着装置８の例である。
【００６２】
図９（ｃ）は、加熱部８０１ｃの外周を、加圧部８０２ｃの定着ベルト８２の内周面に設けられた押圧部８６のみで、定着ニップ部を形成する定着装置８の例である。そして加圧部８０２ｃの定着ベルトは、一つのローラと押圧部８６に張架されている。
【００６３】
図９（ａ）乃至図９（ｃ）に示す定着装置８においても、図３乃至図８に示した摺動シート８６０及び遮蔽シート８６５を用いることにより、摺動シートが、定着ベルトと擦れることによって破れた場合であってもその影響を抑え、安定して定着処理することが可能な定着装置を得ることが可能となる。
【実施例】
【００６４】
次に、本願発明の実施例について説明する。
実施例１：遮蔽シート８６５有り、固着面ａｄでの固着無し（図７の実施形態）
実施例２：遮蔽シート８６５有り、固着面ａｄでの固着有り（図８の実施形態）
比較例：遮蔽シート無し
実施例１、実施例２、比較例においては、上記条件以外に関しては図１乃至図８に示した定着装置及び画像形成装置を用いた。
【００６５】
［実験条件］
画像形成装置Ａで、Ａ４判８０ｇ／ｍ２の用紙を、１分間に６５枚の速度で連続プリントを行い、各プリント枚数において、紙しわの評価及び、駆動モータのトルクの変化を調査した。
「紙しわ」に関しては、Ａ３判５２ｇ／ｍ２の用紙を通紙して、紙しわの有無について評価した。評価基準は以下のとおりである。
○：紙しわ発生無し
×：紙しわ発生有り
「駆動モータのトルク変化」に関しては、スタート時（プリント枚数ゼロ）での定着装置８の駆動モータの駆動トルクを基準値の１．０とし、当該基準値に対するトルク比を評価基準とした。
【００６６】
［実験結果］
【００６７】
【表１】
2010066554.tif 000003
【００６８】
【表２】
2010066554.tif 000004
【００６９】
表１に紙しわの評価結果を、表２に駆動モータのトルク変化を示す。
【００７０】
表１に示すように、比較例では紙しわの発生が見られたが、実施例１、実施例２では、紙しわの発生は見られなかった。遮蔽シート８６５の効果により押圧パッド８６１に潤滑剤浸透による膨潤変形が発生しないからである。
【００７１】
表２に示すように、実施例１、比較例に比べて実施例２では、トルク上昇が抑えられていることがわかる。これは、実施例２では、固着部ａｄにより摺動シート８６０と遮蔽シート８６５とを固着させているので、潤滑剤の減少を抑えられるので、長期間に渡って潤滑剤塗布による摩擦力低減の効果が続くためである。なお実施例２においても駆動トルクの上昇が見られているが、これは主に、摺動シート８６０の突起部ｐの先端が摩耗により削れて、定着ベルト８２の内周面との接触面積が増加することにより生じている。
【図面の簡単な説明】
【００７２】
【図１】本実施形態に係る画像形成装置の中央断面図である。
【図２】ベルトニップ方式の定着装置８の中央断面図である。
【図３】押圧部８６周辺の断面図である。
【図４】摺動シート８６０周辺の拡大図である。
【図５】定着装置８の長手方向の位置関係を示す図である。
【図６】エンボス加工が施された摺動シート８６０の一例を示す図である。
【図７】摺動シート８６０での摩耗による穴空き現象について説明する説明図である。
【図８】第２の実施形態に係る摺動シート８６０周辺を示す図である。
【図９】定着装置８の変形例を示す図である。
【符号の説明】
【００７３】
８  定着装置
８０１  加熱部
８０２  加圧部
８１  加熱ローラ
８２  定着ベルト
８３、８５  ローラ
８４  加圧ローラ
８６  押圧部
８６０  摺動シート
ｐ  突起部
ａｄ  固着面
８６１  押圧パッド
８６３  ベース板金
８６４  ステー
８６５  遮蔽シート
８６１  押圧パッド
８７  潤滑剤塗布部材
【図１】
2010066554.tif 000005
【図２】
2010066554.tif 000006
【図３】
2010066554.tif 000007
【図４】
2010066554.tif 000008
【図５】
2010066554.tif 000009
【図６】
2010066554.tif 000010
【図７】
2010066554.tif 000011
【図８】
2010066554.tif 000012
【図９】
2010066554.tif 000013